(57)【要約】  【課題】Ｍｏｖｅ時に元のコンテンツは消去されるので、正常に移動できないなどコンテンツが失われるという不都合が起こる場合がある。本発明は上記問題を解決し、かつコピーワンスのＭｏｖｅ概念を逸脱することのない方法、システムを提供することを目的とする。  【解決手段】２つ以上の記録装置から固有ＩＤを取得し、固有ＩＤとコンテンツを暗号化する相互暗号鍵とを要素とする相互ＩＤを作成する。ここで、相互ＩＤは他の記録装置へコピーした場合は、元の相互ＩＤは削除することとする。相互ＩＤと暗号化コンテンツが共に記録されている記録装置において、相互ＩＤ内の固有ＩＤのいずれかと記録装置の固有ＩＤが合致した場合に再生および復号を可能とする。相互ＩＤによる認証を行うことで、コピーワンスのＭｏｖｅ概念を逸脱することなく、信頼性を向上してコンテンツのＭｏｖｅを行うことができる。【選択図】図２
2005352642.tif 000002
【特許請求の範囲】
【請求項１】
複数の記録装置または記録媒体に接続されるコンテンツデータ処理装置であって、
複数の前記記録装置または記録媒体から少なくとも２つの固有ＩＤを読み出す固有ＩＤ読出し手段と、
少なくとも２つの前記固有ＩＤから相互暗号鍵を作成し、前記相互暗号鍵と少なくとも２つの前記固有ＩＤとを要素とする相互ＩＤを作成し、前記相互ＩＤを複数の前記記録装置または記録媒体のいずれかに記録する相互ＩＤ作成手段と、
前記記録装置または記録媒体に記録されているデータを前記相互暗号鍵を用いて暗号化し、その暗号化データを複数の前記記録装置または記録媒体のいずれかに記録し、元のデータを削除または読み取り不可とする元データ抑制手段と
を備えたコンテンツデータ処理装置。
【請求項２】
前記固有ＩＤ読出し手段が前記相互ＩＤと前記暗号化データを記録している前記記録装置または記録媒体から固有ＩＤを読み出したとき、読み出した前記固有ＩＤが前記相互ＩＤにおける少なくとも２つの固有ＩＤのいずれかと合致するかを判断し、合致する場合は前記暗号化データの再生を許可し、いずれとも合致しない場合は前記暗号化データの再生を抑制する再生抑制手段を備えた請求項１に記載のコンテンツデータ処理装置。
【請求項３】
前記固有ＩＤ読出し手段が前記相互ＩＤと前記暗号化データを記録している前記記録装置または記録媒体から固有ＩＤを読み出したとき、読み出した前記固有ＩＤが前記相互ＩＤにおける少なくとも２つの固有ＩＤのいずれかと合致するかを判断し、合致する場合は、前記暗号化データの復号を許可し、前記相互ＩＤにおける前記相互暗号鍵を用いて前記暗号化データを復号化して前記記録装置または記録媒体に記録し、前記暗号化データおよび前記相互ＩＤを削除または読み取り不可とし、いずれとも合致しない場合は復号を抑制する復号抑制手段を備えた請求項１に記載のコンテンツデータ処理装置。
【請求項４】
請求項１から請求項３までのいずれかに記載のコンテンツデータ処理装置と、複数の記録装置または記録媒体を有する記録再生装置。
【請求項５】
請求項１から請求項３までのいずれかに記載のコンテンツデータ処理装置と、少なくとも１つの記録装置または記録媒体を有する装置が複数接続されている記録再生システム。
【請求項６】
前記固有ＩＤ読出し手段が前記相互ＩＤと前記暗号化データを記録している記録装置または記録媒体から固有ＩＤを読み出したとき、読み出した前記固有ＩＤが前記相互ＩＤにおける少なくとも２つの固有ＩＤのいずれかと合致するかを判断し、合致する場合は前記暗号化データの前記記録装置または記録媒体への複製を許可し、いずれとも合致しない場合は前記暗号化データの前記記録装置または記録媒体への複製を抑制する複製抑制手段を備える請求項１から請求項３までのいずれかに記載のコンテンツデータ処理装置。
【請求項７】
請求項６に記載のコンテンツデータ処理装置と、複数の記録装置または記録媒体を有する記録再生装置。
【請求項８】
請求項６に記載のコンテンツデータ処理装置と、少なくとも１つの記録装置または記録媒体を有する装置が複数接続されている記録再生システム。
【発明の詳細な説明】
【技術分野】
【０００１】
本発明は、放送などで配信されるデジタルコンテンツを利用するコンテンツデータ処理装置に関し、特に、著作権保護の観点からコンテンツにコピーに制限を設けている場合に、コンテンツの移動による不利益を回避する技術に関する。
【背景技術】
【０００２】
近年、画像や音声、映像をデジタル的に記録する記録装置や記録媒体が普及しつつある。デジタルデータは画質や音質を維持したまま何度もコピーを繰り返すことができる。その結果として、コンテンツの著作権者や販売権者等の利益が害されるおそれがある。そこで、違法なコピーを防止するための様々な仕組みが導入されている。
【０００３】
例えば、地上デジタル放送やＢＳデジタル放送では、放送されたコンテンツを１度のみ記録可能とするコピーワンス機能が導入される。コピーワンス制限付きコンテンツを放送から受信して、記録装置に記録し、さらに、「Ｍｏｖｅ」と呼ぶ機能を用いて他の記録装置にコンテンツを移動する場合もある。ここで、Ｍｏｖｅとは、第１の記録装置に蓄積されたコンテンツを第２の記録装置にコピーした後、第１の記録装置のコンテンツを完全に削除する機能である。
【０００４】
また、コンテンツＩＤとネットワーク内で共有されているネットワーク鍵を用いて、コンテンツ鍵情報を暗号化し、ユーザ要求と著作権保護をバランス良く解決するコンテンツ利用システムがある（例えば、特許文献１参照）。
【特許文献１】特開２００４−５５２６号公報（第１３−１５頁、第１−３図）
【発明の開示】
【発明が解決しようとする課題】
【０００５】
Ｍｏｖｅ機能を利用すると、元の記録装置または記録媒体に記録されていたコンテンツデータは消去されてしまう。そのため、コンテンツデータを正常に移動できなかった場合や、コンテンツデータを移動した記録装置または記録媒体が破損した場合には、コンテンツデータが失われてしまうという不都合が起こる場合がある。
【０００６】
また、一旦、低データレートや異なる圧縮方式などの不可逆変換を行う状態でＭｏｖｅを行うと、再び初期の高品質が得られなくなるという問題も生ずる。
【０００７】
また、種々のメディアにＭｏｖｅしたいときに１つのメディアにＭｏｖｅすると、他のメディアにＭｏｖｅできなくなるという問題点も生ずる。
【０００８】
本発明は上記問題を総合的に解決し、かつコピーワンスのＭｏｖｅ概念を逸脱することのない方法、システムを提供することにある。
【課題を解決するための手段】
【０００９】
本発明は、上記の課題を解決するために次のような手段を講じる。
【００１０】
２つ以上の記録装置または記録媒体から固有のＩＤを取得し、取得した固有ＩＤからコンテンツを暗号化する暗号鍵（以下、相互暗号鍵）を作成し、この固有ＩＤと相互暗号鍵とを要素とする相互ＩＤを作成する。
【００１１】
第１の記録装置で記録されたコンテンツを再生し、相互暗号鍵で再暗号化したコンテンツを第１の装置および第２の装置で記録する。相互暗号鍵はこの第１の装置または第２の装置のいずれか一方にしか存在しないようにコントロールし、相互暗号鍵がなければ再生できないこととする。
【００１２】
また、相互ＩＤが記録されていないために暗号化コンテンツが再生不可となっている記録装置または記録媒体に相互ＩＤを戻すことにより再生可能とするＭｏｖｅＢａｃｋも可能とする。
【００１３】
さらに、Ｍｏｖｅ時のデータレートや圧縮方式は任意に設定可能とする。
【００１４】
以下、より具体的レベルで展開する。
【００１５】
本発明によるコンテンツデータ処理装置は、複数の記録装置または記録媒体に接続されたもので、
複数の前記記録装置または記録媒体から少なくとも２つの固有ＩＤを読み出す固有ＩＤ読出し手段と、
少なくとも２つの前記固有ＩＤから相互暗号鍵を作成し、前記相互暗号鍵と少なくとも２つの前記固有ＩＤとを要素とする相互ＩＤを作成し、前記相互ＩＤを複数の前記記録装置または記録媒体のいずれかに記録する相互ＩＤ作成手段と、
前記記録装置または記録媒体に記録されているデータを前記相互暗号鍵を用いて暗号化し、その暗号化データを複数の前記記録装置または記録媒体のいずれかに記録し、元のデータを削除または読み取り不可とする元データ抑制手段と
を備えた構成とされている。
【００１６】
上記構成において、さらに、前記固有ＩＤ読出し手段が前記相互ＩＤと前記暗号化データを記録している前記記録装置または記録媒体から固有ＩＤを読み出したとき、読み出した前記固有ＩＤが前記相互ＩＤにおける少なくとも２つの固有ＩＤのいずれかと合致するかを判断し、合致する場合は前記暗号化データの再生を許可し、いずれとも合致しない場合は前記暗号化データの再生を抑制する再生抑制手段を備える。
【００１７】
また、上記構成において、さらに、前記固有ＩＤ読出し手段が前記相互ＩＤと前記暗号化データを記録している前記記録装置または記録媒体から固有ＩＤを読み出したとき、読み出した前記固有ＩＤが前記相互ＩＤにおける少なくとも２つの固有ＩＤのいずれかと合致するかを判断し、合致する場合は、前記暗号化データの復号を許可し、前記相互ＩＤにおける前記相互暗号鍵を用いて前記暗号化データを復号化して前記記録装置または記録媒体に記録し、前記暗号化データおよび前記相互ＩＤを削除または読み取り不可とし、いずれとも合致しない場合は復号を抑制する復号抑制手段を備える。
【００１８】
さらに、上記において、前記固有ＩＤ読出し手段が前記相互ＩＤと前記暗号化データを記録している記録装置または記録媒体から固有ＩＤを読み出したとき、読み出した前記固有ＩＤが前記相互ＩＤにおける少なくとも２つの固有ＩＤのいずれかと合致するかを判断し、合致する場合は前記暗号化データの前記記録装置または記録媒体への複製を許可し、いずれとも合致しない場合は前記暗号化データの前記記録装置または記録媒体への複製を抑制する複製抑制手段を備える。
【００１９】
さらに、上記のいずれかのコンテンツデータ処理装置と、複数の記録装置または記録媒体を有する記録再生装置も有用である。
【００２０】
また、上記のいずれかのコンテンツデータ処理装置と、少なくとも１つの記録装置または記録媒体を有する装置が複数接続されている記録再生システムも有用である。
【発明の効果】
【００２１】
本発明によれば、記録装置または記録媒体から読み出した固有ＩＤと固有ＩＤに基づいて作成した相互暗号鍵とを要素とする相互ＩＤを作成し、相互暗号鍵でコンテンツを暗号化し、相互ＩＤを用いた認証を行うことで暗号化コンテンツの再生、復号、複製を制限する。これにより、コピーワンスのＭｏｖｅ概念を逸脱することなく、信頼性を向上してコンテンツのＭｏｖｅを行うことができる。また、相互ＩＤによる暗号化コンテンツの再生および復号制限方法を用いてコンテンツのバックアップ、さらに劣化を招く不可逆変換を行った場合でも変換前の高画質コンテンツを復活させることができる。
【発明を実施するための最良の形態】
【００２２】
以下、本発明にかかわるコンテンツデータ処理装置の実施の形態を図面に基づいて詳細に説明する。
【００２３】
（実施の形態１）
図１のような２つ以上の記録装置または記録媒体を内蔵した一体型記録再生装置１における信頼性を向上したＭｏｖｅ機能について説明する。一例として、第１の記録装置２ａがＨＤＤであり、第２の記録装置２ｂがＤＶＤ−ＲＡＭであるとして説明する。
【００２４】
図２は、本発明の実施の形態１における一体型記録再生装置１の構成を示すブロック図である。
【００２５】
この一体型記録再生装置１は、第１および第２の記録装置２ａ，２ｂと、第１および第２の記録装置２ａ，２ｂの固有ＩＤ３ａ，３ｂと、コンテンツデータ処理装置４から構成されている。コンテンツデータ処理装置４は、第１および第２の記録装置２ａ，２ｂへの読み書きの制御を行う第１および第２の読書き制御部５ａ，５ｂと、記録装置の固有ＩＤを読み出す固有ＩＤ読出し手段６と、第１および第２の記録装置２ａ，２ｂの固有ＩＤ３ａ，３ｂから相互ＩＤを作成する相互ＩＤ作成手段７と、相互ＩＤを用いてコンテンツの暗号化を行う暗号化手段８と、相互ＩＤと固有ＩＤを照合して合致した場合にのみ暗号化されたコンテンツの再生を許可する再生抑制手段９と、相互ＩＤと固有ＩＤを照合して合致した場合にのみ暗号化されたコンテンツの復号を許可する復号抑制手段１０と、相互ＩＤを用いて暗号化されたコンテンツを復号化する復号化手段１１から構成されている。
【００２６】
図３は、本発明の実施の形態１における一体型記録再生装置１における信頼性を向上したＭｏｖｅ機能を示すフローチャートである。
【００２７】
ここで、第１の記録装置２ａにコピーワンスコンテンツＣ１が記録されているとする（Ｓ００４）。
【００２８】
固有ＩＤ読出し手段６において、第１の記録装置２ａから固有ＩＤ３ａを、第２の記録装置２ｂから固有ＩＤ３ｂを読み出す（Ｓ００１，Ｓ００２）。例えば固有ＩＤとしては、ＨＤＤの場合は機器ＩＤを利用でき、ＤＶＤ−ＲＡＭまたはＤＶＤ−ＲＷディスクの場合はＢＣＡに書かれたディスク個別ＩＤを利用できる。
【００２９】
相互ＩＤ作成手段７において、固有ＩＤ読出し手段６で読み出した２つの固有ＩＤを用いて相互ＩＤを作成する（Ｓ００３）。
【００３０】
相互ＩＤの構造を図４の相互ＩＤ１２のような構造としてもよい。第１の記録装置２ａおよび第２の記録装置２ｂから読み出した２つの固有ＩＤ３ａ，３ｂと、２つの固有ＩＤ３ａ，３ｂから作成した相互暗号鍵Ｋ１を相互ＩＤ１２の要素とする。あるいは、相互暗号鍵Ｋ１を公開鍵としてもよい。
【００３１】
あるいは、図５の相互ＩＤ１３のような構造としてもよい。第１の記録装置２ａおよび第２の記録装置２ｂから読み出した２つの固有ＩＤ３ａ，３ｂを相互ＩＤ１３の要素とする。相互暗号鍵Ｋ１は、２つの固有ＩＤ３ａ，３ｂを連続データとしたものとする。
【００３２】
あるいは、図６の相互ＩＤ１４のような構造としてもよい。第１の記録装置２ａおよび第２の記録装置２ｂから読み出した２つの固有ＩＤ３ａ，３ｂと、２つの固有ＩＤ３ａ，３ｂから作成した相互暗号鍵Ｋ１を相互ＩＤ１４の要素とする。あるいは、相互暗号鍵Ｋ１を公開鍵としてもよい。さらに、有効フラグをＯＮとする。相互ＩＤ１４を移動する場合は、移動先に相互ＩＤ１４が無い場合のみ複製を作成し、相互ＩＤ１４が記録されている場合は元の有効フラグをＯＦＦとしてから移動先有効フラグをＯＮとする。
【００３３】
図７は、相互ＩＤ作成手順を示すフローチャートである。相互ＩＤ作成手段７は、固有ＩＤ読出し手段６で読み出した２つの固有ＩＤ３ａ，３ｂ（Ｓ１０２）を変数の相互ＩＤに格納し（Ｓ１０３）、次に２つの固有ＩＤ３ａ，３ｂから相互暗号鍵Ｋ１を作成し（Ｓ１０４）、相互ＩＤに格納する（Ｓ１０５）。
【００３４】
作成した相互暗号鍵Ｋ１を用いて第１の記録装置２ａに記録されているコピーワンスコンテンツＣ１を暗号化して暗号化コンテンツＣ２を記録する（Ｓ００５）。次いで、コピーワンスコンテンツＣ１を削除する（Ｓ００６）。ここで、第１の記録装置２ａには相互ＩＤと暗号化コンテンツＣ２が共に記録されているので、暗号化コンテンツＣ２は再生することができる。
【００３５】
再生抑制手段９において、相互ＩＤと固有ＩＤを照合して合致した場合にのみ暗号化されたコンテンツの再生を許可する。
【００３６】
図８は、再生抑制手順を示すフローチャートである。再生抑制手段９は、相互ＩＤと暗号化コンテンツＣ２が共に記録されている（Ｓ２０１，２０２）記録装置において、記録装置の固有ＩＤを読み出し（Ｓ２０３）、記録装置の固有ＩＤと相互ＩＤ内の２つの固有ＩＤのいずれかが合致した場合（Ｓ２０４）は再生を許可し（Ｓ２０５）、合致しない場合は再生を不許可とする（Ｓ２０６）。
【００３７】
第１の記録装置２ａに記録されている相互ＩＤ内の固有ＩＤと、第１の記録装置２ａの固有ＩＤ３ａは合致するので、再生を許可する。
【００３８】
第１の記録装置２ａに記録されている暗号化コンテンツＣ２を第２の記録装置２ｂにコピーする（Ｓ００７）。
【００３９】
さらに、第１の記録装置２ａに記録されている相互ＩＤを第２の記録装置２ｂにコピーし（Ｓ００８）、第１の記録装置２ａに記録されている相互ＩＤを削除する（Ｓ００９）。この結果、暗号化コンテンツＣ２は第１の記録装置２ａだけでなく第２の記録装置２ｂにも記録された状態になる。しかし、第１の記録装置２ａでは、相互ＩＤの削除のため、暗号化コンテンツＣ２は再生できない。
【００４０】
再生抑制手段９において、第２の記録装置２ｂに記録されている相互ＩＤ内の固有ＩＤと、第２の記録装置２ｂの固有ＩＤ３ｂは合致するので、再生を許可し（Ｓ０１０）、再生することにより正常にコピーできたかどうか確認を行う（Ｓ０１１）。
【００４１】
正常コピーであれば、第１の記録装置２ａに記録されている暗号化コンテンツＣ２を削除してもよい。
【００４２】
復号抑制手段１０において、相互ＩＤと固有ＩＤを照合して合致した場合にのみ暗号化されたコンテンツの復号を許可する。
【００４３】
図９は、復号抑制手順を示すフローチャートである。復号抑制手段９は、相互ＩＤと暗号化コンテンツＣ２が共に記録されている記録装置において（Ｓ３０１，Ｓ３０２）、記録装置の固有ＩＤを読み出し（Ｓ３０３）、記録装置の固有ＩＤと相互ＩＤ内の２つの固有ＩＤのいずれかが合致した場合（Ｓ３０４）は復号を許可し（Ｓ３０５）、合致しない場合は復号を不許可とする（Ｓ３０６）。
【００４４】
復号抑制手段１０は、第２の記録装置２ｂに記録されている相互ＩＤ内の固有ＩＤと、第２の記録装置２ｂの固有ＩＤ３ｂは合致するので復号を許可する（Ｓ０１２）。
【００４５】
復号化手段１１において、相互ＩＤ内の相互暗号鍵Ｋ１を用いて暗号化コンテンツＣ２を復号し、コピーワンスコンテンツＣ１を第２の記録装置２ｂに記録する（Ｓ０１３）。
【００４６】
第２の記録装置２ｂに記録されている暗号化コンテンツＣ２および相互ＩＤを削除する（Ｓ０１４）。
【００４７】
（実施の形態２）
図１０のような１つ以上の記録装置または記録媒体を内蔵した第１および第２の記録再生装置１８ａ，１８ｂを２台接続した場合における信頼性を向上したＭｏｖｅ機能について説明する。
【００４８】
例えば、装置間の接続をＩＥＥＥ１３９４ＤＴＣＰとしてもよい。
【００４９】
図１１は、本発明の実施の形態２における１つ以上の記録装置を内蔵した第１および第２の記録再生装置１８ａ，１８ｂを２台接続した場合の構成を示すブロック図である。
【００５０】
この２台の記録再生装置は、第１および第２の記録装置１９ａ，１９ｂと、第１および第２の記録装置１９ａ，１９ｂの固有ＩＤ２０ａ，２０ｂと、第１および第２のコンテンツデータ処理装置２２ａ，２２ｂから構成されている。第１および第２のコンテンツデータ処理装置２２ａ，２２ｂは、第１および第２の記録装置１９ａ，１９ｂへの読み書きの制御を行う第１および第２の読書き制御部２２ａ，２２ｂと、記録装置の固有ＩＤを読み出す第１および第２の固有ＩＤ読出し手段２３ａ，２３ｂと、記録装置の固有ＩＤから相互ＩＤを作成する第１および第２の相互ＩＤ作成手段２４ａ，２４ｂと、相互ＩＤを用いてコンテンツの暗号化を行う第１および第２の暗号化手段２５ａ，２５ｂと、相互ＩＤと固有ＩＤを照合して合致した場合にのみ暗号化されたコンテンツの再生を許可する第１および第２の再生抑制手段２６ａ，２６ｂと、相互ＩＤと固有ＩＤを照合して合致した場合にのみ暗号化されたコンテンツの復号を許可する第１および第２の復号抑制手段２７ａ，２７ｂと、相互ＩＤを用いて暗号化されたコンテンツを復号化する第１および第２の復号化手段２８ａ，２８ｂから構成されている。
【００５１】
図１２は、本発明の実施の形態２における１つ以上の記録装置を内蔵した第１および第２の記録再生装置１８ａ，１８ｂを２台接続した場合における信頼性を向上したＭｏｖｅ機能を示すフローチャートである。
【００５２】
ここで、第１の記録装置１９ａにコピーワンスコンテンツＣ３が記録されているとする（Ｓ４０４）。
【００５３】
図１３は、１つ以上の記録装置を内蔵した記録再生装置を２台接続した場合の固有ＩＤ読出し手順を示すフローチャートである。
【００５４】
固有ＩＤ読出し手段は、記録装置から固有ＩＤを読み出し（Ｓ５０１）、接続されている記録装置に固有ＩＤ要求を発信し（Ｓ５０２）、接続されている記録装置からの固有ＩＤ受信を待つ（Ｓ５０３）。さらに他の固有ＩＤ読出し手段から固有ＩＤ要求を受け取ると（Ｓ５０４）、記録装置から固有ＩＤを読み出し（Ｓ５０５）、接続されている記録装置の固有ＩＤの値を返答する（Ｓ５０６）。
【００５５】
第１の固有ＩＤ読出し手段２３ａにおいて、第１の記録装置１９ａから固有ＩＤ２０ａを読み出し（Ｓ４０１）、第２の固有ＩＤ読出し手段２３ｂへ固有ＩＤ読出し要求を発信する。第２の固有ＩＤ読出し手段２３ｂにおいて、第２の記録装置１９ｂから固有ＩＤ２０ｂを読み出し（Ｓ４０２）、第１の固有ＩＤ読出し手段２３ａへ返答する。
【００５６】
第１の相互ＩＤ作成手段２４ａにおいて、第１および第２の固有ＩＤ読出し手段２３ａ，２３ｂで読み出した２つの固有ＩＤ３ａ，３ｂを用いて相互ＩＤを作成する。相互ＩＤ作成方法は、実施の形態１と同様とする。
【００５７】
第１および第２の固有ＩＤ読出し手段２３ａ，２３ｂで読み出した２つの固有ＩＤ２０ａ，２０ｂを変数の相互ＩＤに格納し、次に２つの固有ＩＤ２０ａ，２０ｂから相互暗号鍵Ｋ２を作成し、相互ＩＤに格納する（Ｓ４０３）。
【００５８】
作成した相互暗号鍵Ｋ２を用いて第１の記録装置１９ａに記録されているコピーワンスコンテンツＣ３を暗号化して暗号化コンテンツＣ４を記録（Ｓ４０５）後、コピーワンスコンテンツＣ３を削除する（Ｓ４０６）。これにより、相互ＩＤと暗号化コンテンツＣ４が共に記録装置に記録されている場合にのみ再生することができる。
【００５９】
第１の再生抑制手段２６ａにおいて、相互ＩＤと固有ＩＤを照合して合致した場合にのみ暗号化コンテンツＣ４の再生を許可する。再生抑制手順は、実施の形態１と同様である。
【００６０】
第１の記録装置１９ａに記録されている相互ＩＤ内の固有ＩＤと、第１の記録装置１９ａの固有ＩＤ２０ａは合致するので、暗号化コンテンツＣ４の再生を許可する。
【００６１】
第１の記録装置１９ａに記録されている暗号化コンテンツＣ４を第２の記録装置１９ｂにコピーする（Ｓ４０７）。
【００６２】
さらに、第１の記録装置１９ａに記録されている相互ＩＤを第２の記録装置１９ｂにコピーし（Ｓ４０８）、第１の記録装置１９ａに記録されている相互ＩＤを削除する（Ｓ４０９）。これにより、第１の記録装置１９ａに記録されている暗号化コンテンツＣ４は再生できない状態となる。
【００６３】
第２の再生抑制手段２６ｂにおいて、第２の記録装置１９ｂに記録されている相互ＩＤ内の固有ＩＤと、第２の記録装置１９ｂの固有ＩＤ２０ｂは合致するので、再生を許可し（Ｓ４１０）、再生することにより正常にコピーできたかどうか確認を行う（Ｓ４１１）。
【００６４】
正常コピーであれば、第１の記録装置１９ａに記録されている暗号化コンテンツＣ４を削除してもよい。
【００６５】
第２の復号抑制手段２７ｂにおいて、相互ＩＤと固有ＩＤを照合して合致した場合にのみ暗号化されたコンテンツの復号を許可する。復号抑制手順は、実施の形態１と同様である。
【００６６】
第２の記録装置１９ｂに記録されている相互ＩＤ内の固有ＩＤと、第２の記録装置１９ｂの固有ＩＤ２０ｂは合致するので、暗号化コンテンツＣ４の復号を許可する（Ｓ４１２）。
【００６７】
第２の復号化手段２８ｂにおいて、相互ＩＤ内の相互暗号鍵Ｋ２を用いて暗号化コンテンツＣ４を復号し、コピーワンスコンテンツＣ３を第２の記録装置１９ｂに記録する（Ｓ４１３）。
【００６８】
第２の記録装置１９ｂに記録されている暗号化コンテンツＣ４および相互ＩＤを削除する（Ｓ４１４）。
【００６９】
（実施の形態３）
図１４のような１つ以上の記録装置または記録媒体を内蔵した記録再生装置が２台以上接続されているネットワークについて説明する。
【００７０】
図１５は、本発明の実施の形態３における１つ以上の記録装置を内蔵した記録再生装置４０ａ，４０ｂ，４０ｃが２台以上接続されているネットワークの構成を示すブロック図である。
【００７１】
このネットワークは、第１ないし第３の記録装置４１ａ，４１ｂ，４１ｃと、第１ないし第３の記録装置４１ａ，４１ｂ，４１ｃの固有ＩＤ４２ａ，４２ｂ，４２ｃと、第１ないし第３のコンテンツデータ処理装置４３ａ，４３ｂ，４３ｃから構成されている。コンテンツデータ処理装置の構造は、実施の形態２と同様であるので、その説明を省略する。
【００７２】
図１６は、本発明の実施の形態３における１つ以上の記録装置を内蔵した記録再生装置４０ａ，４０ｂ，４０ｃが２台以上接続されているネットワークおける信頼性を向上したＭｏｖｅ機能を示すフローチャートである。
【００７３】
ここで、第１の記録装置４１ａにコピーワンスコンテンツＣ５が記録され（Ｓ６０４）、第１および第２の記録再生装置４０ａ，４０ｂの間でＭｏｖｅを行うとする。
【００７４】
図１３の固有ＩＤ読出し手順を示すフローチャートにおいて、ネットワークに接続されている装置を指定して、固有ＩＤ要求の発信ができ、固有ＩＤ要求を受け取ると装置を指定して返答できるとする。
【００７５】
固有ＩＤ読出し方法は、実施の形態２と同様とする。
【００７６】
第１の固有ＩＤ読出し手段４５ａにおいて、第１の記録装置４１ａから固有ＩＤ４２ａを読み出し（Ｓ６０１）、第２の固有ＩＤ読出し手段４５ｂへ固有ＩＤ読出し要求を発信する。第２の固有ＩＤ読出し手段４５ｂにおいて、第２の記録装置４１ｂから固有ＩＤ４２ｂを読み出し（Ｓ６０２）、第１の固有ＩＤ読出し手段４５ａへ返答する。
【００７７】
第１の相互ＩＤ作成手段４６ａにおいて、第１および第２の読出し手段４５ａ，４５ｂで読み出した２つの固有ＩＤ４２ａ，４２ｂを用いて相互ＩＤを作成する。相互ＩＤ作成方法は、実施の形態１と同様とする。
【００７８】
第１および第２の固有ＩＤ読出し手段４５ａ，４５ｂで読み出した２つの固有ＩＤ４２ａ，４２ｂを変数の相互ＩＤに格納し、次に２つの固有ＩＤ４２ａ，４２ｂから相互暗号鍵Ｋ３を作成し、相互ＩＤに格納する（Ｓ６０３）。
【００７９】
作成した相互暗号鍵Ｋ３を用いて第１の記録装置４１ａに記録されているコピーワンスコンテンツＣ５を暗号化して暗号化コンテンツＣ６を記録（Ｓ６０５）後、コピーワンスコンテンツＣ５を削除する（Ｓ６０６）。これにより、相互ＩＤと暗号化された暗号化コンテンツＣ６が共に記録装置に記録されている場合にのみ再生することができる。
【００８０】
第１の再生抑制手段４８ａにおいて、相互ＩＤと固有ＩＤを照合して合致した場合にのみ暗号化コンテンツＣ６の再生を許可する。再生抑制手順は、実施の形態１と同様である。
【００８１】
第１の記録装置４１ａに記録されている相互ＩＤ内の固有ＩＤと、第１の記録装置４１ａの固有ＩＤ４２ａは合致するので、暗号化コンテンツＣ６の再生を許可する。
【００８２】
第１の記録装置４１ａに記録されている暗号化コンテンツＣ６を第２の記録装置４１ｂにコピーする（Ｓ６０７）。
【００８３】
さらに、第１の記録装置４１ａに記録されている相互ＩＤを第２の記録装置４１ｂにコピーし（Ｓ６０８）、第１の記録装置４１ａに記録されている相互ＩＤを削除する（Ｓ６０９）。これにより、第１の記録装置４１ａに記録されている暗号化コンテンツＣ６は再生できない状態となる。
【００８４】
第２の再生抑制手段４８ｂにおいて、第２の記録装置４１ｂに記録されている相互ＩＤ内の固有ＩＤと、第２の記録装置４１ｂの固有ＩＤ４２ｂは合致するので、再生を許可し（Ｓ６１０）、再生することにより正常にコピーできたかどうか確認を行う（Ｓ６１１）。
【００８５】
正常コピーであれば、第１の記録装置４１ａに記録されている暗号化コンテンツＣ６を削除してもよい。
【００８６】
第２の復号抑制手段４９ｂにおいて、相互ＩＤと固有ＩＤを照合して合致した場合にのみ暗号化されたコンテンツの復号を許可する。復号抑制手順は、実施の形態１と同様である。
【００８７】
第２の記録装置４１ｂに記録されている相互ＩＤ内の固有ＩＤと、第２の記録装置４１ｂの固有ＩＤ４２ｂは合致するので、暗号化コンテンツＣ６の復号を許可する（Ｓ６１２）。
【００８８】
第２の復号化手段５０ｂにおいて、相互ＩＤ内の相互暗号鍵Ｋ３を用いて暗号化コンテンツＣ６を復号し、コピーワンスコンテンツＣ５を第２の記録装置４１ｂに記録する（Ｓ６１３）。
【００８９】
第２の記録装置４１ｂに記録されている暗号化コンテンツＣ６および相互ＩＤを削除する（Ｓ６１４）。
【００９０】
（実施の形態４）
図１のような２つ以上の記録装置または記録媒体を内蔵した一体型記録再生装置１におけるＭｏｖｅＢａｃｋ機能について説明する。
【００９１】
ただし、本機能は相互ＩＤの削除ができないためライトワンスメディアの場合は不可とする。
【００９２】
本発明の実施の形態４における一体型記録再生装置１の構成は形態１と同様の図２を用いる。
【００９３】
図１７は、本発明の実施の形態４における一体型記録再生装置１におけるＭｏｖｅＢａｃｋ機能を示すフローチャートである。
【００９４】
ここで、第１の記録装置２ａにコピーワンスコンテンツＣ１が記録されているとする（Ｓ７０４）。
【００９５】
固有ＩＤ読出し手段６において、第１の記録装置２ａから固有ＩＤ３ａを、第２の記録装置２ｂから固有ＩＤ３ｂを読み出す（Ｓ７０１，Ｓ７０２）。
【００９６】
相互ＩＤ作成手段７において、固有ＩＤ読出し手段６で読み出した２つの固有ＩＤ３ａ，３ｂを用いて相互ＩＤを作成する。相互ＩＤ作成方法は、実施の形態１と同様とする。
【００９７】
固有ＩＤ読出し手段６で読み出した２つの固有ＩＤ３ａ，３ｂを変数の相互ＩＤに格納し、次に２つの固有ＩＤ３ａ，３ｂから相互暗号鍵Ｋ１を作成し、相互ＩＤに格納する（Ｓ７０３）。
【００９８】
作成した相互暗号鍵Ｋ１を用いて第１の記録装置２ａに記録されているコピーワンスコンテンツＣ１を暗号化して暗号化コンテンツＣ２を記録（Ｓ７０５）後、コピーワンスコンテンツＣ１を削除する（Ｓ７０６）。これにより、相互ＩＤと暗号化コンテンツＣ２が共に記録装置に記録されている場合にのみ再生することができる。
【００９９】
再生抑制手段９において、相互ＩＤと固有ＩＤを照合して合致した場合にのみ暗号化されたコンテンツの再生を許可する。再生抑制手順は、実施の形態１と同様である。
【０１００】
第１の記録装置２ａに記録されている相互ＩＤ内の固有ＩＤと、第１の記録装置２ａの固有ＩＤ３ａは合致するので、再生を許可する。
【０１０１】
第１の記録装置２ａに記録されている暗号化コンテンツＣ２を第２の記録装置２ｂにコピーする（Ｓ７０７）。
【０１０２】
さらに、第１の記録装置２ａに記録されている相互ＩＤを第２の記録装置２ｂにコピーし（Ｓ７０８）、第１の記録装置２ａに記録されている相互ＩＤを削除する（Ｓ７０９）。これにより、第１の記録装置２ａに記録されている暗号化コンテンツＣ２は再生できない状態となる。
【０１０３】
再生抑制手段９において、第２の記録装置２ｂに記録されている相互ＩＤ内の固有ＩＤと、第２の記録装置２ｂの固有ＩＤ３ｂは合致するので、再生を許可し（Ｓ７１０）、再生することにより正常にコピーできたかどうか確認を行う（Ｓ７１１）。
【０１０４】
正常コピーであれば、第２の記録装置２ｂに記録されている相互ＩＤを第１の記録装置２ａにコピーし（Ｓ７１２）、第２の記録装置２ｂに記録されている相互ＩＤを削除する（Ｓ７１３）。これにより、第２の記録装置２ｂに記録されている暗号化コンテンツＣ２は再生できない状態となる。
【０１０５】
再生抑制手段９において、第１の記録装置２ａに記録されている相互ＩＤ内の固有ＩＤと、第１の記録装置２ａの固有ＩＤ３ａは合致するので、再生を許可する（Ｓ７１４）。
【０１０６】
以降、相互ＩＤの移動により暗号化コンテンツＣ２の再生権が移動する。相互ＩＤが第１の記録装置２ａに記録されており、暗号化コンテンツＣ２の再生が可能である場合は、第２の記録装置２ｂに記録されている暗号化コンテンツＣ２はバックアップデータとなる。逆に、相互ＩＤが第２の記録装置２ｂに記録されている場合は、第１の記録装置２ａに記録されている暗号化コンテンツＣ２はバックアップデータとなる。
【０１０７】
（実施の形態５）
図１のような２つ以上の記録装置または記録媒体を内蔵した一体型記録再生装置１における不可逆変換Ｍｏｖｅ機能について説明する。
【０１０８】
ただし、本機能は相互ＩＤの削除ができないためライトワンスメディアの場合は不可とする。
【０１０９】
本発明の実施の形態５における一体型記録再生装置１の構成は形態１と同様の図２を用いる。
【０１１０】
図１８は、本発明の実施の形態５における一体型記録再生装置１における不可逆変換Ｍｏｖｅ機能を示すフローチャートである。
【０１１１】
ここで、第１の記録装置２ａにコピーワンスコンテンツＣ１が記録されているとする（Ｓ８０４）。
【０１１２】
固有ＩＤ読出し手段６において、第１の記録装置２ａから固有ＩＤ３ａを、第２の記録装置２ｂから固有ＩＤ３ｂを読み出す（Ｓ８０１，Ｓ８０２）。
【０１１３】
相互ＩＤ作成手段７において、固有ＩＤ読出し手段６で読み出した２つの固有ＩＤ３ａ，３ｂを用いて相互ＩＤを作成する。相互ＩＤ作成方法は、実施の形態１と同様とする。
【０１１４】
固有ＩＤ読出し手段６で読み出した２つの固有ＩＤ３ａ，３ｂを変数の相互ＩＤに格納し、次に２つの固有ＩＤ３ａ，３ｂから相互暗号鍵Ｋ１を作成し、相互ＩＤに格納する（Ｓ８０３）。
【０１１５】
ここで、低データレートや異なる圧縮方式などの不可逆変換を行い、不可逆変換コンテンツＣ７を記録する（Ｓ８０５）。
【０１１６】
作成した相互暗号鍵Ｋ１を用いて第１の記録装置２ａに記録されているコピーワンスコンテンツＣ１および不可逆変換コンテンツＣ７を暗号化して暗号化コンテンツＣ２および暗号化不可逆変換コンテンツＣ８を記録（Ｓ８０６，Ｓ８０７）後、コピーワンスコンテンツＣ１および不可逆変換コンテンツＣ７を削除する（Ｓ８０８）。これにより、相互ＩＤと暗号化コンテンツＣ２または暗号化不可逆変換コンテンツＣ８が記録装置に記録されている場合にのみ再生することができる。
【０１１７】
再生抑制手段９において、相互ＩＤと固有ＩＤを照合して合致した場合にのみ暗号化されたコンテンツの再生を許可する。再生抑制手順は、実施の形態１と同様である。
【０１１８】
第１の記録装置２ａに記録されている相互ＩＤ内の固有ＩＤと、第１の記録装置２ａの固有ＩＤ３ａは合致するので暗号化コンテンツＣ２および暗号化不可逆変換コンテンツＣ８の再生を許可する。
【０１１９】
第１の記録装置２ａに記録されている暗号化不可逆変換コンテンツＣ８を第２の記録装置２ｂにコピーする（Ｓ８０９）。
【０１２０】
さらに、第１の記録装置２ａに記録されている相互ＩＤを第２の記録装置２ｂにコピーし（Ｓ８１０）、第１の記録装置２ａに記録されている相互ＩＤを削除する（Ｓ８１１）。これにより、第１の記録装置２ａに記録されている暗号化コンテンツＣ２は再生できない状態となる。
【０１２１】
再生抑制手段９において、第２の記録装置２ｂに記録されている相互ＩＤ内の固有ＩＤと、第２の記録装置２ｂの固有ＩＤ３ｂは合致するので、再生を許可し（Ｓ８１２）、再生することにより正常にコピーできたかどうか確認を行う（Ｓ８１３）。
【０１２２】
このとき、第２の記録装置２ｂにおいて、低データレートや異なる圧縮方式などの不可逆変換を行ったコンテンツＣ８の再生が可能である。
【０１２３】
第２の記録装置２ｂに記録されている相互ＩＤを第１の記録装置２ａにコピーし（Ｓ８１４）、第２の記録装置２ｂに記録されている相互ＩＤを削除する（Ｓ８１５）。これにより、第２の記録装置２ｂに記録されている暗号化不可逆変換コンテンツＣ８は再生できない状態となる。
【０１２４】
第１の記録装置２ａに記録されている相互ＩＤ内の固有ＩＤと、第１の記録装置２ａの固有ＩＤ３ａは合致するので暗号化コンテンツＣ２および暗号化不可逆変換コンテンツＣ８の再生を許可する（Ｓ８１６）。
【０１２５】
このとき、不可逆変換を行う前の高品質な暗号化コンテンツＣ２の再生が可能である。なお、不可逆変換を行った暗号化不可逆変換コンテンツＣ８も再生可能である（Ｓ８１７）。
【０１２６】
ここで、第２の記録装置２ｂに記録されている暗号化不可逆変換コンテンツＣ８を削除してもよい。
【０１２７】
復号抑制手段１０において、相互ＩＤと固有ＩＤを照合して合致した場合にのみ暗号化されたコンテンツの復号を許可する。復号抑制手順は、実施の形態１と同様である。
【０１２８】
復号抑制手段１０は、第１の記録装置２ａに記録されている相互ＩＤ内の固有ＩＤと、第１の記録装置２ａの固有ＩＤ３ａは合致するので復号を許可する（Ｓ８１８）。
【０１２９】
復号化手段１４において、相互ＩＤ内の相互暗号鍵Ｋ１を用いて暗号化コンテンツＣ２を復号し、コピーワンスコンテンツＣ１を第１の記録装置２ａに記録する（Ｓ８１９）。
【０１３０】
第１の記録装置２ａに記録されている暗号化コンテンツＣ２および暗号化不可逆変換コンテンツＣ８、相互ＩＤを削除する（Ｓ８２０）。
【０１３１】
（実施の形態６）
図１のような２つ以上の記録装置または記録媒体を内蔵した一体型記録再生装置１における信頼性を向上したＭｏｖｅ機能について説明する。
【０１３２】
図１９は、本発明の実施の形態６における一体型記録再生装置１の構成を示すブロック図である。
【０１３３】
この一体型記録再生装置１は、第１および第２の記録装置２ａ，２ｂと、第１および第２の記録装置２ａ，２ｂの固有ＩＤ３ａ，３ｂと、コンテンツデータ処理装置３４から構成されている。コンテンツデータ処理装置３４は、第１および第２の記録装置２ａ，２ｂへの読み書きの制御を行う第１および第２の読書き制御部３５ａ，３５ｂと、記録装置の固有ＩＤを読み出す固有ＩＤ読出し手段３６と、記録装置の固有ＩＤから相互ＩＤを作成する相互ＩＤ作成手段３７と、相互ＩＤを用いてコンテンツの暗号化を行う暗号化手段３８と、相互ＩＤと固有ＩＤを照合して合致した場合にのみ暗号化されたコンテンツの再生を許可する再生抑制手段３９と、相互ＩＤと固有ＩＤを照合して合致した場合にのみ暗号化されたコンテンツの複製を許可する複製抑制手段６０と、相互ＩＤと固有ＩＤを照合して合致した場合にのみ暗号化されたコンテンツの復号を許可する復号抑制手段４１と、相互ＩＤを用いて暗号化されたコンテンツを復号化する復号化手段４２から構成されている。
【０１３４】
図２０は、本発明の実施の形態６における一体型記録再生装置１における信頼性を向上したＭｏｖｅ機能を示すフローチャートである。
【０１３５】
ここで、第１の記録装置２ａにコピーワンスコンテンツＣ１が記録されているとする（Ｓ９０４）。
【０１３６】
固有ＩＤ読出し手段３６において、第１の記録装置２ａから固有ＩＤ３ａを、第２の記録装置２ｂから固有ＩＤ３ｂを読み出す（Ｓ９０１，Ｓ９０２）。
【０１３７】
相互ＩＤ作成手段３７において、固有ＩＤ読出し手段３６で読み出した２つの固有ＩＤ３ａ，３ｂを用いて相互ＩＤを作成する。相互ＩＤ作成方法は、実施の形態１と同様とする。
【０１３８】
固有ＩＤ読出し手段３６で読み出した２つの固有ＩＤ３ａ，３ｂを変数の相互ＩＤに格納し、次に２つの固有ＩＤ３ａ，３ｂから相互暗号鍵Ｋ１を作成し、相互ＩＤに格納する（Ｓ９０３）。
【０１３９】
作成した相互暗号鍵Ｋ１を用いて第１の記録装置２ａに記録されているコピーワンスコンテンツＣ１を暗号化して暗号化コンテンツＣ２を記録（Ｓ９０５）後、コピーワンスコンテンツＣ１を削除する（Ｓ９０６）。これにより、相互ＩＤと暗号化コンテンツＣ２が共に記録装置に記録されている場合にのみ再生することができる。
【０１４０】
再生抑制手段３９において、相互ＩＤと固有ＩＤを照合して合致した場合にのみ暗号化されたコンテンツの再生を許可する。再生抑制方法は、実施の形態１と同様とする。
【０１４１】
第１の記録装置２ａに記録されている相互ＩＤ内の固有ＩＤと、第１の記録装置２ａの固有ＩＤ３ａは合致するので、再生を許可する。
【０１４２】
複製抑制手段６０において、相互ＩＤと固有ＩＤを照合して合致した場合にのみ暗号化されたコンテンツの再生を許可する。
【０１４３】
図２１は、複製抑制手順を示すフローチャートである。相互ＩＤが記録されている（Ｓ１００１）記録装置において、暗号化コンテンツの複製を行う先の記録装置の固有ＩＤを読み出し（Ｓ１００２）、複製を行う先の記録装置の固有ＩＤと相互ＩＤ内の２つの固有ＩＤのいずれかが合致した場合（Ｓ１００３）は複製を許可し（Ｓ１００４）、合致しない場合は複製を不許可とする（Ｓ１００５）。
【０１４４】
第１の記録装置２ａに記録されている相互ＩＤ内の固有ＩＤと、第２の記録装置２ｂの固有ＩＤ３ｂは合致するので複製を許可し（Ｓ９０７）、第１の記録装置２ａに記録されている暗号化コンテンツＣ２を第２の記録装置２ｂにコピーする（Ｓ９０８）。
【０１４５】
さらに、第１の記録装置２ａに記録されている相互ＩＤを第２の記録装置２ｂにコピーし（Ｓ９０９）、第１の記録装置２ａに記録されている相互ＩＤを削除する（Ｓ９１０）。これにより、第１の記録装置２ａに記録されている暗号化コンテンツＣ２は再生できない状態となる。
【０１４６】
再生抑制手段３９において、第２の記録装置２ｂに記録されている相互ＩＤ内の固有ＩＤと、第２の記録装置２ｂの固有ＩＤ３ｂは合致するので、再生を許可し（Ｓ９１１）、再生することにより正常にコピーできたかどうか確認を行う（Ｓ９１２）。
【０１４７】
正常コピーであれば、第１の記録装置２ａに記録されている暗号化コンテンツＣ２を削除してもよい。
【０１４８】
復号抑制手段４１において、相互ＩＤと固有ＩＤを照合して合致した場合にのみ暗号化されたコンテンツの復号を許可する。復号抑制方法は、実施の形態１と同様とする。
【０１４９】
復号抑制手段４１は、第２の記録装置２ｂに記録されている相互ＩＤ内の固有ＩＤと、第２の記録装置２ｂの固有ＩＤ３ｂは合致するので復号を許可する（Ｓ９１３）。
【０１５０】
復号化手段４２において、相互ＩＤ内の相互暗号鍵Ｋ１を用いて暗号化コンテンツＣ２を復号し、コピーワンスコンテンツＣ１を第２の記録装置２ｂに記録する（Ｓ９１４）。
【０１５１】
第２の記録装置２ｂに記録されている暗号化コンテンツＣ２および相互ＩＤを削除する（Ｓ９１５）。
【０１５２】
（実施の形態７）
図１０のような１つ以上の記録装置または記録媒体を内蔵した第１および第２の記録再生装置１８ａ，１８ｂを２台接続した場合における信頼性を向上したＭｏｖｅ機能について説明する。
【０１５３】
図２２は、本発明の実施の形態７における１つ以上の記録装置を内蔵した第１および第２の記録再生装置１８ａ，１８ｂを２台接続した場合の構成を示すブロック図である。
【０１５４】
この２台の記録再生装置は、第１および第２の記録装置１９ａ，１９ｂと、第１および第２の記録装置１９ａ，１９ｂの固有ＩＤ２０ａ，２０ｂと、第１および第２のコンテンツデータ処理装置５１ａ，５１ｂから構成されている。第１および第２のコンテンツデータ処理装置５１ａ，５１ｂは、第１および第２の記録装置１９ａ，１９ｂへの読み書きの制御を行う第１および第２の読書き制御部５２ａ，５２ｂと、記録装置の固有ＩＤを読み出す第１および第２の固有ＩＤ読出し手段５３ａ，５３ｂと、記録装置の固有ＩＤから相互ＩＤを作成する第１および第２の相互ＩＤ作成手段５４ａ，５４ｂと、相互ＩＤを用いてコンテンツの暗号化を行う第１および第２の暗号化手段５５ａ，５５ｂと、相互ＩＤと固有ＩＤを照合して合致した場合にのみ暗号化されたコンテンツの再生を許可する第１および第２の再生抑制手段５６ａ，５６ｂと、相互ＩＤと固有ＩＤを照合して合致した場合にのみ暗号化されたコンテンツの複製を許可する第１および第２の複製抑制手段５９ａ，５９ｂと、相互ＩＤと固有ＩＤを照合して合致した場合にのみ暗号化されたコンテンツの復号を許可する第１および第２の復号抑制手段５７ａ，５７ｂと、相互ＩＤを用いて暗号化されたコンテンツを復号化する第１および第２の復号化手段５８ａ，５８ｂから構成されている。
【０１５５】
図２３は、本発明の実施の形態７における１つ以上の記録装置を内蔵した第１および第２の記録再生装置１９ａ，１９ｂを２台接続した場合における信頼性を向上したＭｏｖｅ機能を示すフローチャートである。
【０１５６】
ここで、第１の記録装置２ａにコピーワンスコンテンツＣ１が記録されているとする（Ｓ１１０４）。
【０１５７】
第１および第２の固有ＩＤ読出し手段５３ａ，５３ｂにおいて、記録装置から固有ＩＤを読み出す。固有ＩＤ読出し方法は、実施の形態２と同様とする。第１の固有ＩＤ読出し手段５３ａにおいて、第１の記録装置１９ａから固有ＩＤ２０ａを、第２の固有ＩＤ読出し手段５３ｂにおいて、第１の記録装置１９ａから固有ＩＤ２０ａを読み出す（Ｓ１１０１，Ｓ１１０２）。
【０１５８】
第１の相互ＩＤ作成手段５４ａにおいて、第１および第２の読出し手段５３ａ，５３ｂで読み出した２つの固有ＩＤ２０ａ，２０ｂを用いて相互ＩＤを作成する。相互ＩＤ作成方法は、実施の形態１と同様とする。
【０１５９】
第１および第２の固有ＩＤ読出し手段５３ａ，５３ｂで読み出した２つの固有ＩＤ２０ａ，２０ｂを変数の相互ＩＤに格納し、次に２つの固有ＩＤ２０ａ，２０ｂから相互暗号鍵Ｋ２を作成し、相互ＩＤに格納する（Ｓ１１０３）。
【０１６０】
作成した相互暗号鍵Ｋ２を用いて第１の記録装置１９ａに記録されているコピーワンスコンテンツＣ３を暗号化して暗号化コンテンツＣ４を記録（Ｓ１１０５）後、コピーワンスコンテンツＣ３を削除する（Ｓ１１０６）。これにより、相互ＩＤと暗号化コンテンツＣ４が共に記録装置に記録されている場合にのみ再生することができる。
【０１６１】
第１の再生抑制手段５６ａにおいて、相互ＩＤと固有ＩＤを照合して合致した場合にのみ暗号化されたコンテンツの再生を許可する。再生抑制方法は、実施の形態１と同様とする。
【０１６２】
第１の記録装置１９ａに記録されている相互ＩＤ内の固有ＩＤと、第１の記録装置１９ａの固有ＩＤ２０ａは合致するので、再生を許可する。
【０１６３】
第１の複製抑制手段５９ａにおいて、相互ＩＤと固有ＩＤを照合して合致した場合にのみ暗号化されたコンテンツの再生を許可する。複製抑制方法は、実施の形態５と同様とする。
【０１６４】
第１の記録装置１９ａに記録されている相互ＩＤ内の固有ＩＤと、第１の記録装置１９ａの固有ＩＤ２０ａは合致するので複製を許可し（Ｓ１１０７）、第１の記録装置１９ａに記録されている暗号化コンテンツＣ４を第１の記録装置１９ａにコピーする（Ｓ１１０８）。
【０１６５】
さらに、第１の記録装置１９ａに記録されている相互ＩＤを第１の記録装置１９ａにコピーし（Ｓ１１０９）、第１の記録装置１９ａに記録されている相互ＩＤを削除する（Ｓ１１１０）。これにより、第１の記録装置１９ａに記録されている暗号化コンテンツＣ４は再生できない状態となる。
【０１６６】
第２の再生抑制手段５６ｂにおいて、第１の記録装置１９ａに記録されている相互ＩＤ内の固有ＩＤと、第１の記録装置１９ａの固有ＩＤ２０ａは合致するので、再生を許可し（Ｓ１１１１）、再生することにより正常にコピーできたかどうか確認を行う（Ｓ１１１２）。
【０１６７】
正常コピーであれば、第１の記録装置１９ａに記録されている暗号化コンテンツＣ４を削除してもよい。
【０１６８】
第２の復号抑制手段５７ｂにおいて、相互ＩＤと固有ＩＤを照合して合致した場合にのみ暗号化されたコンテンツの復号を許可する。復号抑制方法は、実施の形態１と同様とする。
【０１６９】
第２の復号抑制手段５７ｂは、第１の記録装置１９ａに記録されている相互ＩＤ内の固有ＩＤと、第２の記録装置１９ｂの固有ＩＤ２０ａは合致するので復号を許可する（Ｓ１１１３）。
【０１７０】
第２の復号化手段５８ｂにおいて、相互ＩＤ内の相互暗号鍵Ｋ２を用いて暗号化コンテンツＣ４を復号し、コピーワンスコンテンツＣ３を第１の記録装置１９ａに記録する（Ｓ１１１４）。
【０１７１】
第１の記録装置１９ａに記録されている暗号化コンテンツＣ４および相互ＩＤを削除する（Ｓ１１１５）。
【産業上の利用可能性】
【０１７２】
本発明にかかるコピーワンスコンテンツのＭｏｖｅにおける信頼性向上技術は、地上波デジタル放送等で配信され、ＨＤＤ等の記録装置に蓄積されたコピーワンスコンテンツを正常に他の記録装置へ移動する技術等として有用である。またバックアップデータ機能等の用途にも応用できる。
【図面の簡単な説明】
【０１７３】
【図１】本発明の実施の形態１における２つ以上の記録装置または記録媒体を内蔵した一体型記録再生装置の構成を示すブロック図
【図２】本発明の実施の形態１における一体型記録再生装置１の構成を示すブロック図
【図３】本発明の実施の形態１における一体型記録再生装置１における信頼性を向上したＭｏｖｅ機能を示すフローチャート
【図４】本発明の実施の形態における相互ＩＤの構成を示す図
【図５】本発明の実施の形態における相互ＩＤの構成を示す図
【図６】本発明の実施の形態における相互ＩＤの構成を示す図
【図７】本発明の実施の形態における相互ＩＤ作成手順を示すフローチャート
【図８】本発明の実施の形態における再生抑制手順を示すフローチャート
【図９】本発明の実施の形態における復号抑制手順を示すフローチャート
【図１０】本発明の実施の形態２における１つ以上の記録装置または記録媒体を内蔵した記録再生装置を２台接続した場合の図
【図１１】本発明の実施の形態２における１つ以上の記録装置または記録媒体を内蔵した記録再生装置を２台接続した場合の構成を示すブロック図
【図１２】本発明の実施の形態２における１つ以上の記録装置または記録媒体を内蔵した記録再生装置を２台接続した場合の信頼性を向上したＭｏｖｅ機能を示すフローチャート
【図１３】本発明の実施の形態２における１つ以上の記録装置を内蔵した記録再生装置を２台接続した場合の固有ＩＤ読出し手順を示すフローチャート
【図１４】本発明の実施の形態３における１つ以上の記録装置または記録媒体を内蔵した記録再生装置が２台以上接続されているネットワークの図
【図１５】本発明の実施の形態３における１つ以上の記録装置または記録媒体を内蔵した記録再生装置が２台以上接続されているネットワークの構成を示すブロック図
【図１６】本発明の実施の形態３における１つ以上の記録装置または記録媒体を内蔵した記録再生装置が２台以上接続されているネットワークでの信頼性を向上したＭｏｖｅ機能を示すフローチャート
【図１７】本発明の実施の形態４における一体型記録再生装置におけるＭｏｖｅ Ｂａｃｋ機能を示すフローチャート
【図１８】本発明の実施の形態５における一体型記録再生装置における不可逆変換Ｍｏｖｅ機能を示すフローチャート
【図１９】本発明の実施の形態６における２つ以上の記録装置または記録媒体を内蔵した一体型記録再生装置の構成を示すブロック図
【図２０】本発明の実施の形態６における一体型記録再生装置における信頼性を向上したＭｏｖｅ機能を示すフローチャート
【図２１】本発明の実施の形態における複製抑制手順を示すフローチャート
【図２２】本発明の実施の形態７における１つ以上の記録装置を内蔵した記録再生装置を２台接続した場合の構成を示すブロック図
【図２３】本発明の実施の形態７における１つ以上の記録装置または記録媒体を内蔵した記録再生装置を２台接続した場合の信頼性を向上したＭｏｖｅ機能を示すフローチャート
【符号の説明】
【０１７４】
１  一体型記録再生装置
２ａ，２ｂ  記録装置
３ａ，３ｂ  固有ＩＤ
４  コンテンツデータ処理装置
５ａ，５ｂ  読書き制御部
６  固有ＩＤ読出し手段
７  相互ＩＤ作成手段
８  暗号化手段
９  再生抑制手段
１０  復号抑制手段
１１  復号化手段
１２，１３，１４  相互ＩＤ
１８ａ，１８ｂ  記録再生装置
１９ａ，１９ｂ  記録装置
２０ａ，２０ｂ  固有ＩＤ
２１ａ，２１ｂ  コンテンツデータ処理装置
２２ａ，２２ｂ  読書き制御部
２３ａ，２３ｂ  固有ＩＤ読出し手段
２４ａ，２４ｂ  相互ＩＤ作成手段
２５ａ，２５ｂ  暗号化手段
２６ａ，２６ｂ  再生抑制手段
２７ａ，２７ｂ  復号抑制手段
２８ａ，２８ｂ  復号化手段
４０ａ〜４０ｃ  記録再生装置
４１ａ〜４０ｃ  記録装置
４２ａ〜４２ｃ  固有ＩＤ
４３ａ〜４３ｃ  コンテンツデータ処理装置
４４ａ〜４４ｃ  読書き制御部
４５ａ〜４５ｃ  固有ＩＤ読出し手段
４６ａ〜４６ｃ  相互ＩＤ作成手段
４７ａ〜４７ｃ  暗号化手段
４８ａ〜４８ｃ  再生抑制手段
４９ａ〜４９ｃ  復号抑制手段
５０ａ〜５０ｃ  復号化手段
５１ａ，５１ｂ  コンテンツデータ処理装置
５２ａ，５２ｂ  読書き制御部
５３ａ，５３ｂ  固有ＩＤ読出し手段
５４ａ，５４ｂ  相互ＩＤ作成手段
５５ａ，５５ｂ  暗号化手段
５６ａ，５６ｂ  再生抑制手段
５７ａ，５７ｂ  復号抑制手段
５８ａ，５８ｂ  復号化手段
５９ａ，５９ｂ，６０  複製抑制手段
【図１】
2005352642.tif 000003
【図２】
2005352642.tif 000004
【図３】
2005352642.tif 000005
【図４】
2005352642.tif 000006
【図５】
2005352642.tif 000007
【図６】
2005352642.tif 000008
【図７】
2005352642.tif 000009
【図８】
2005352642.tif 000010
【図９】
2005352642.tif 000011
【図１０】
2005352642.tif 000012
【図１１】
2005352642.tif 000013
【図１２】
2005352642.tif 000014
【図１３】
2005352642.tif 000015
【図１４】
2005352642.tif 000016
【図１５】
2005352642.tif 000017
【図１６】
2005352642.tif 000018
【図１７】
2005352642.tif 000019
【図１８】
2005352642.tif 000020
【図１９】
2005352642.tif 000021
【図２０】
2005352642.tif 000022
【図２１】
2005352642.tif 000023
【図２２】
2005352642.tif 000024
【図２３】
2005352642.tif 000025